(57)【要約】【課題】製作コストの低廉化を期することができ、現場での取付作業を容易にでき、野縁を野縁受けに対して確実強固に固定できる野縁吊持用クリップを提供する。【解決手段】野縁受け２３の溝開口２３ｏ又はウエブ２３ａ背面に沿うように配置され、野縁２４Ａの両リップ２４ｃ，２４ｃ裏面側に係合する係合凸部２，２を下端部に有する第１立板部３と、第１立板部３の上端縁から野縁受け２３の上部フランジ２３ｂに沿うように直角に折曲延設される上板部４と、上板部４の先端縁から野縁受け２３の溝開口２３ｏ又はウエブ背面に沿うように直角下向きに折曲延設され、野縁２４Ａの両リップ２４ｃ，２４ｃ表面側に係合するを下端部に有する第２立板部６と、第２立板部６の両端縁から野縁２４Ａの両側壁２４ｂ，２４ｂ外面に沿うように直角に折曲延設される両側一対の脇板部７，７とからなる。【選択図】図２
2014202059.tif 000002
【特許請求の範囲】
【請求項１】
溝開口を横向きにした溝形材からなる野縁受けの下部フランジに当接してこれと直交するように配置される、溝開口を上向きにしたリップ溝形材からなる野縁を前記野縁受けに吊持するための鋼板製の野縁吊持用クリップであって、
野縁受けの溝開口又はウエブ背面に沿うように配置され、野縁の両リップ裏面側に係合する係合凸部を下端部に有する第１立板部と、第１立板部の上端縁から野縁受けの上部フランジに沿うように直角に折曲延設される上板部と、上板部の先端縁から野縁受けのウエブ背面又は溝開口に沿うように直角下向きに折曲延設され、野縁の両リップ表面側に係合する係合段部を下端部に有する第２立板部と、第２立板部の両端縁から野縁の両側壁外面に沿うように直角に折曲延設される両側一対の脇板部とからなり、
第１立板部又は第２立板部は野縁受けのウエブにビス止めされ、各脇板部は野縁の側壁にビス止めされるようになっている野縁吊持用クリップ。
【請求項２】
第１立板部が上板部に対して予め直角に折曲され、各脇板部が第２立板部に対して予め直角に折曲されており、第２立板部を上板部に対し直角に折り曲げる折り目には、折り曲げを容易にするための折曲用開口部が形成されている請求項１に記載の野縁吊持用クリップ。
【発明の詳細な説明】
【技術分野】
【０００１】
本発明は、天井下地の施工にあたって、野縁を野縁受けに吊持する野縁吊持用クリップに関するもので、溝開口を横向きにした溝形材からなる野縁受けの下面に当接してこれと直交するように配置される、溝開口を上向きにしたリップ溝形材からなる野縁を野縁受けに吊持するための鋼板製の野縁吊持用クリップに関する。
【背景技術】
【０００２】
従来より一般に使用されている野縁吊持用クリップは、溝開口を横向きにした溝形材からなる野縁受けのウエブ背面又は溝開口に沿って配置される立板部の下端部に係合凸部を有し、この係合凸部を、野縁の両リップ裏面側に係合させると共に、立板部の上端縁から野縁受けの上部フランジに当接して先方へ延設される先方延設部を下向きに折り曲げることにより野縁受けを掛嵌保持するようにしたものであるが、このクリップは、野縁受けに対し片側から掛けるだけであるため、地震発生時に野縁及び野縁受けが振動すると、野縁受けが倒れて野縁との係合が解かれる状態となって、野縁が落下する事態をまねくおそれがあった。
【０００３】
そこで、下記特許文献１には、野縁受けが倒れないように野縁受けを野縁上に固定させて野縁を強力に保持できるようにした野縁吊持用クリップが記載されている。このクリップは、第１クリップとこれとは別体の第２クリップとからなるもので、第１クリップと第２クリップとを、野縁受けを挟んで互いに抱き合わせて、野縁受けを締め付けた状態とするため、野縁受けはこれと直交する野縁上に堅固に固定され、従って地震発生時に野縁受け及び野縁が激しく振動しても、野縁受けは倒れ難く、野縁が落下するようなことがなく、天井下地の耐震強度を高めることができる。
【先行技術文献】
【特許文献】
【０００４】
【特許文献１】登録実用新案第３１８１７６８号公報
【発明の概要】
【発明が解決しようとする課題】
【０００５】
ところが、上記クリップは、第１クリップと第２クリップとの２つの独立した部材からなるため、製作コストが高くつくと共に、現場での取付作業が面倒となる課題があった。そこで、本発明は、クリップ全体を１つの部材で形成することにより、製作コストの低廉化を期することができ、現場での取付作業を容易にでき、加えて野縁を野縁受けに対して確実強固に固定保持できる野縁吊持用クリップを提供することを目的としている。
【課題を解決するための手段】
【０００６】
上記課題を解決するための手段を、後述する実施形態の参照符号を付して説明すると、請求項１に係る発明は、溝開口２３ｏを横向きにした溝形材からなる野縁受け２３の下部フランジ２３ｂに当接してこれと直交するように配置される、溝開口２３ｏを上向きにしたリップ溝形材からなる野縁２４Ａ，２４Ｂを前記野縁受け２３に吊持するための鋼板製の野縁吊持用クリップであって、
野縁受け２３の溝開口２３ｏ又はウエブ２３ａ背面に沿うように配置され、野縁２４Ａ，２４Ｂの両リップ２４ｃ，２４ｃ裏面側に係合する係合凸部２，２を下端部に有する第１立板部３と、第１立板部３の上端縁から野縁受け２３の上部フランジ２３ｂに沿うように直角に折曲延設される上板部４と、上板部４の先端縁から野縁受け２３のウエブ２３ａ背面又は溝開口２３ｏに沿うように直角下向きに折曲延設され、野縁２４Ａ，２４Ｂの両リップ２４ｃ，２４ｃ表面側に係合する係合段部５，５を下端部に有する第２立板部６と、第２立板部６の両端縁から野縁２４Ａ，２４Ｂの両側壁２４ｂ，２４ｂ外面に沿うように直角に折曲延設される両側一対の脇板部７，７とからなり、
第１立板部３又は第２立板部６は野縁受け２３のウエブ２３ａにビス８止めされ、各脇板部７は野縁２４Ａ，２４Ｂの側壁２４ｂにビス９止めされるようになっていることを特徴とする。
【０００７】
請求項２は、請求項１に記載の野縁吊持用クリップにおいて、第１立板部３が上板部４に対して予め直角に折曲され、各脇板部７が第２立板部６に対して予め直角に折曲されており、第２立板部６を上板部４に対し直角に折り曲げる折り目１１には、折り曲げを容易にするための折曲用開口部１７が形成されていることを特徴とする。
【発明の効果】
【０００８】
上記解決手段による発明の効果を、後述する実施形態の参照符号を付して説明すると、請求項１に係る発明の野縁吊持用クリップは、野縁受け２３の溝開口２３ｏ又はウエブ２３ａ背面に沿うように配置され、野縁２４Ａ，２４Ｂの両リップ２４ｃ，２４ｃ裏面側に係合する係合凸部２，２を下端部に有する第１立板部３と、第１立板部３の上端縁から野縁受け２３の上部フランジ２３ｂに沿うように直角に折曲延設される上板部４と、上板部４の先端縁から野縁受け２３のウエブ２３ａ背面又は溝開口２３ｏに沿うように直角下向きに折曲延設され、野縁２４Ａ，２４Ｂの両リップ２４ｃ，２４ｃ表面側に係合するを下端部に有する第２立板部６と、第２立板部６の両端縁から野縁２４Ａ，２４Ｂの両側壁２４ｂ，２４ｂの外面に沿うように直角に折曲延設される両側一対の脇板部７，７とからなるもので、これら第１立板部３、上板部４、第２立板部６及び脇板部７，７が１枚の鋼板材で形成されるから、クリップの製作が容易となって、コストの低廉化が図られると共に、現場での取付作業が簡単容易となり、また保管や輸送も便利となる。
【０００９】
また、この発明の野縁吊持用クリップでは、第１立板部３又は第２立板部６が野縁受け２３のウエブ２３ａにビス８止めされ、各脇板部７が野縁２４Ａ，２４Ｂの側壁２４ｂにビス９止めされるから、クリップ１と野縁受け２３と野縁２４Ａ，２４Ｂとが一体的に結合され、それにより地震発生時に野縁受け２３及び野縁２４Ａ，２４Ｂが激しく振動しても、野縁受け２３が倒れるようなことがなく、野縁が落下することがなくなり、天井下地の耐震強度を高めることができる。
【００１０】
請求項２に係る発明によれば、野縁吊持用クリップ１は、第１立板部３が上板部４に対し予め直角に折曲されており且つ各脇板部７が第２立板部６に対し予め直角に折曲されているから、使用に際しては、上板部４と第２立板部６との境界にある折り目１１に沿って第２立板部６を上板部４に対し直角に折り曲げるだけでよく、従って現場作業が簡単となり、また折り目１１には折り曲げを容易にするための折曲用開口部１７が形成されているから、折り曲げ作業が容易となる。
【図面の簡単な説明】
【００１１】
【図１】本発明に係るシングルタイプの野縁吊持用クリップの使用前の状態で、第１立板部が上板部に対し直角に折曲され、各脇板部が第２立板部に対し直角に折曲されている状態を示す斜視図である。
【図２】同シングルタイプ野縁吊持用クリップの使用状態を示す斜視図である。
【図３】同シングルタイプ野縁吊持用クリップの使用状態を示す側面図である。
【図４】(a) は図３のＸ−Ｘ線断面図、(b) は図３のＹ−Ｙ線断面図である。
【図５】同シングルタイプ野縁吊持用クリップを平板状に展開した展開図である。
【図６】ダブルタイプ野縁吊持用クリップの使用前の状態で、第１立板部が上板部に対し直角に折曲され、各脇板部が第２立板部に対し直角に折曲されている状態を示す斜視図である。
【図７】同ダブルタイプ野縁吊持用クリップの使用状態を示す斜視図である。
【図８】(a) ，(b) は夫々図４の(a) ，(b) に対応する断面図である。
【図９】同ダブルタイプ野縁吊持用クリップを平板状に展開した展開図である。
【発明を実施するための形態】
【００１２】
以下に本発明の好適な一実施形態を図面に基づいて説明すると、図１は、本発明に係るシングルタイプの野縁吊持用クリップ１の使用前の状態を示し、図２は同シングルタイプのクリップ１の使用状態を示す。図２において、２３は野縁受け、２４Ａは野縁を示す。野縁受け２３は、ウエブ２３ａと上下のフランジ２３ｂ，２３ｂとからなる溝形材で、その溝開口２３ｏを横向きにして使用される。野縁２４Ａは、幅の狭い、例えば２５ｍｍ幅の、通称シングル野縁と言われるもので、底壁２４ａと両側壁２４ｂ，２４ｂとリップ２４ｃ，２４ｃとからなる溝形材である。
【００１３】
この野縁吊持用クリップ１は、上記のように幅寸法が２５ｍｍのシングル野縁２４Ａに使用されるもので、図１〜図４に示すように、野縁受け２３の溝開口２３ｏに沿うように配置され、野縁２４Ａの両リップ２４ｃ，２４ｃの夫々裏面側に係合する係合凸部２，２を下端部に有する第１立板部３と、この第１立板部３の上端縁の折り目１０から野縁受け２３の上部フランジ２３ｂに沿うように直角に折曲延設される上板部４と、この上板部４の先端縁の折り目１１から野縁受け２３のウエブ２３ａの背面に沿うように直角下向きに折曲延設され、その下端部に、野縁２４Ａの両リップ２４ｃ，２４ｃ表面側に係合する係合段部５，５を有する第２立板部６と、この第２立板部６の下半部両端縁から野縁２４Ａの両側壁２４ｂ，２４ｂ外面に沿うように直角に折曲延設される両側一対の脇板部７，７とから構成され、第２立板部６が野縁受け２３のウエブ２３ａにビス８止めされ、両脇板部７，７が野縁２４Ａの側壁２４ｂ，２４ｂに夫々ビス９止めされている。
【００１４】
この野縁吊持用クリップ１は、厚さが例えば１．２ｍｍの１枚の鋼板材をプレス加工して形成されるもので、図５にはプレス加工されて平板状に展開された状態のクリップ１を示している。この平板状に展開状態のクリップ１において、１２は第１立板部３の下端部に係合凸部２を折り曲げ形成するための折り目を示し、１３，１３は、第２立板部６の下半部両端縁から両側一対の脇板部７，７を野縁２４Ａの両側壁２４ｂ，２４ｂ外面に沿うように直角に折り曲げて形成するための折り目を示す。１４は第１立板部３に設けられたビス挿通孔、１５は第２立板部６に設けられたビス挿通孔であり、１６は各脇板部７に設けられたビス挿通孔である。また、第２立板部６を上板部４に対し直角に折り曲げる折り目１１には、折り曲げを容易にするための複数の折曲用開口部１７が形成されている。また、第１立板部３及び第２立板部６には夫々外側面に突出する補強リブ３ａ，６ａが形成されている。尚、折り目１１には裏面側に、第２立板部６が折り目１１に沿って直線状に的確に折れ曲がるように細い凹条部が刻設されている。
【００１５】
図５に示すように平面状に展開した状態のクリップ１を一部折り曲げることによって、商品として取引される形態にしたものが図１に示す形態である。即ち、図１に示す野縁吊持用クリップ１は、工場において、曲げ加工機等により、第１立板部３を折り目１０のところから上板部４に対し直角に折り曲げると共に、この第１立板部３の下端部にある折り目１２のところから係合凸部２，２を直角に折り曲げて形成し、そして各脇板部７を第２立板部６に対し直角に折り曲げたものである。
【００１６】
上述した図１に示すような形態の野縁吊持用クリップ１を使用してシングル野縁２４Ａを野縁受け２３に吊持するには、先ず、第１立板部３の下端部にある係合凸部２，２を、シングル野縁２４Ａの両リップ２４ｃ，２４ｃの裏面側に係合させ（図４の(b) 参照）、そして野縁受け２３をシングル野縁２４Ａ上にこれと直交するように載せ、野縁受け２３の上部フランジ２３ｂ上面に上板部４を当接させて、第１立板部３の内側面を野縁受け２３の溝開口２３ｏに添わせた状態とし、斯かる状態で、第２立板部６を、図３の仮想線図示のように折り目１１から野縁受け２３のウエブ２３ａの背面に沿うように直角下向きに折り曲げて、下端部の係合段部５，５を野縁２４Ａの両リップ２４ｃ，２４ｃ表面側に係合させる（図４の(a) 参照）と共に、両脇板部７，７を野縁２４Ａの両側壁２４ｂ，２４ｂの夫々外面に当接させる。
【００１７】
それから、第２立板部６にあるビス挿通孔１５から野縁受け２３のウエブ２３ａに対しタッピングビス８をねじ込んで、第２立板部６を野縁受け２３に固定し、また各脇板部７にあるビス挿通孔１６からシングル野縁２４Ａの側壁２４ｂに対しタッピングビス９をねじ込んで、各脇板部７を野縁２４Ａに固定する。こうして、シングル野縁２４Ａをクリップ１によって野縁受け２３に吊持することができる。
【００１８】
この野縁吊持用クリップ１は、図１に示すように、第１立板部３が上板部４に対し予め直角に折曲されており且つ各脇板部７が第２立板部６に対し予め直角に折曲延設されているから、使用にあたっては、上板部４と第２立板部６との境界にある折り目１１に沿って第２立板部６を上板部４に対し直角に折り曲げるだけでよく、現場作業が簡単となり、しかも折り目１１には折り曲げを容易にするための折曲用開口部１７が形成されているので、折り曲げ作業を容易に行なうことができる。
【００１９】
そして、この野縁吊持用クリップ１は、野縁受け２３の溝開口２３ｏ又はウエブ２３ａ背面に沿うように配置され、野縁２４Ａの両リップ２４ｃ，２４ｃ裏面側に係合する係合凸部２，２を下端部に有する第１立板部３と、第１立板部３の上端縁から野縁受け２３の上部フランジ２３ｂに沿うように直角に折曲延設される上板部４と、上板部４の先端縁から野縁受け２３のウエブ２３ａ背面又は溝開口２３ｏに沿うように直角下向きに折曲延設され、野縁２４Ａの両リップ２４ｃ，２４ｃ表面側に係合する係合段部５，５を下端部に有する第２立板部６と、第２立板部６の両端縁から野縁２４Ａの両側壁２４ｂ，２４ｂの外面に沿うように直角に折曲延設される両側一対の脇板部７，７とからなるもので、これら第１立板部３、上板部４、第２立板部６及び脇板部７，７が１枚の鋼板材によって形成されるから、製作コストを低廉化を図ることができると共に、現場での取付作業が簡単容易となり、クリップ１の保管や輸送も便利となる。
【００２０】
また、この野縁吊持用クリップ１では、第１立板部３又は第２立板部６が野縁受け２３のウエブ２３ａにビス８止めされ、各脇板部７が野縁２４Ａの側壁２４ｂにビス９止めされるから、クリップ１と野縁受け２３と野縁２４Ａとが一体的に結合され、それによって地震発生時に野縁受け及び野縁が激しく振動しても、野縁受け２３が倒れるようなことがなく、野縁が落下するようなことがなくなって、天井下地の耐震強度を十分に高めることができる。
【００２１】
尚、図２〜図４によって説明した野縁吊持用クリップ１の使用例では、第１立板部３を野縁受け２３の溝開口２３ｏに沿うように配置し、第２立板部６を野縁受け２３のウエブ２３ａ背面に沿うように配置しているため、第２立板部６側のビス挿通孔１５を使用して第２立板部６を野縁受け２３のウエブ２３ａにタッピングビス８でビス止めしているが、野縁受け２３のウエブ２３ａ側と溝開口２３ｏ側を図示例とは逆向きに配置した場合は、第１立板部３を野縁受け２３のウエブ２３ａ背面に沿うように配置し、第２立板部６を野縁受け２３の溝開口２３ｏに沿うように配置して、第１立板部３側のビス挿通孔１４からタッピングビス８を野縁受け２３のウエブ２３ａにねじ込んで固定する。
【００２２】
図６は、本発明に係るダブルタイプの野縁吊持用クリップ２１の使用前の状態を示し、図７は同クリップ２１の使用状態を示す。このクリップ２１は図２〜図４に示すシングル野縁２４Ａの２倍の幅（例えば５０ｍｍ）のダブル野縁２４Ｂに使用されるものであり、その構造については、図２〜図４に示すシングル野縁２４Ａとは、幅が２倍となっているだけで、シングル野縁２４Ａと殆ど同じである。
【００２３】
即ち、このクリップ２１は、図６〜図８に示すように、野縁受け２３の溝開口２３ｏに沿うように配置され、ダブル野縁２４Ｂの両リップ２４ｃ，リップ２４ｃ裏面側に係合する係合凸部２，２を下端部に有する第１立板部３と、この第１立板部３の上端縁の折り目１０から野縁受け２３の上部フランジ２３ｂに沿うように直角に折曲延設される上板部４と、この上板部４の先端縁の折り目１１から野縁受け２３のウエブ２３ａの背面に沿うように直角下向きに折曲延設され、ダブル野縁２４Ｂの両リップ２４ｃ，２４ｃの表面側に係合する係合段部５，５を下端部に有する第２立板部６と、第２立板部６の下半部両端縁からダブル野縁２４Ｂの両側壁２４ｂ，２４ｂの外面に沿うように直角に折曲延設される両側一対の脇板部７，７とから構成され、第１立板部３又は第２立板部６が野縁受け２３のウエブ２３ａにビス８止めされ、各脇板部７がダブル野縁２４Ｂの側壁２４ｂにビス９止めされるようになっている。
【００２４】
この野縁吊持用クリップ２１も、厚さが例えば１．２ｍｍの１枚の鋼板材をプレス加工して形成されるもので、図９にはプレス加工されて平板状に展開された状態のクリップ２１を示す。図９に示す展開状態のダブルタイプクリップ２１は、図５に示すシングルタイプのクリップ１とは構造的に殆ど同じであるため、構成部材を示す符号は同じ符号を付している。
【００２５】
図９に示す平面状に展開した状態のクリップ２１を、商品として取引される形態に一部折り曲げた状態が図６に示す形態であって、この図６に示す野縁吊持用クリップ２１は、工場において、曲げ加工機等により、第１立板部をが折り目１０のところから上板部４に対して直角に折り曲げると共に、第１立板部３の下端部にある折り目１２のところから係合凸部２，２を直角に折り曲げて形成し、各脇板部７を第２立板部６に対し直角に折り曲げたものである。
【００２６】
図６に示すような形態の野縁吊持用クリップ２１を使用してダブル野縁２４Ｂを野縁受け２３に吊持するときは、前述のクリップ１と同様に、第１立板部３の下端部にある係合凸部２，２を、ダブル野縁２４Ｂの両リップ２４ｃ，２４ｃの裏面側に係合させ、そして野縁受け２３をダブル野縁２４Ｂ上にこれと直交するように載せ、野縁受け２３の上部フランジ２３ｂ上面に上板部４を当接させて、第１立板部３の内側面を野縁受け２３の溝開口２３ｏに沿った状に配置し、この状態で、第２立板部６を折り目１１から野縁受け２３のウエブ２３ａの背面に沿うように直角下向きに折り曲げて、下端部の係合段部５，５を野縁２４Ｂの両リップ２４ｃ，２４ｃ表面側に係合させると共に、両脇板部７，７を野縁２４Ａの両側壁２４ｂ，２４ｂ外面に当接させ、それから第２立板部６にあるビス挿通孔１５から野縁受け２３のウエブ２３ａに対しタッピングビス８をねじ込んで、第２立板部６を野縁受け２３に固定し、また各脇板部７にあるビス挿通孔１６から野縁２４Ｂの側壁２４ｂに対しタッピングビス９をねじ込んで、各脇板部７を野縁２４Ａに固定する。こうしてダブル野縁２４Ｂをクリップ２１によって野縁受け２３に吊持することができる。
【００２７】
このクリップ２１も、図６に示すように、第１立板部３が上板部４に対し予め直角に折り曲げられ、各脇板部７が第２立板部６に対し予め直角に折り曲げられているから、使用にあたっては、上板部４と第２立板部６との境界にある折り目１１に沿って第２立板部６を上板部４に対し直角に折り曲げるだけでよく、現場作業が簡単となり、しかも折り目１１には折り曲げを容易にするための折曲用開口部１７が形成されているので、折り曲げ作業を容易に行なうことができる。
【００２８】
上述した野縁吊持用クリップ１，２１において、折曲用開口部１７としては、図１〜図９に示すように円形の孔を例示しているが、円形孔以外に長円形、楕円形、略半円形、矩形等の孔を採用することができる。また、折曲用開口部１７の個数としては、１個でもよいし、複数個でもよい。
【符号の説明】
【００２９】
１，２１      野縁吊持用クリップ
２            係合凸部
３            第１立板部
４            上板部
５            係合段部
６            第２立板部
７            脇板部
１０          折り目
１１          折り目
２３          野縁受け
２３ａ        ウエブ
２３ｂ        フランジ
２３ｏ        溝開口
２４Ａ        シングル野縁
２４Ｂ        ダブル野縁
２４ａ        底壁
２４ｂ        側壁
２４ｃ        リップ
【図１】
2014202059.tif 000003
【図２】
2014202059.tif 000004
【図３】
2014202059.tif 000005
【図４】
2014202059.tif 000006
【図５】
2014202059.tif 000007
【図６】
2014202059.tif 000008
【図７】
2014202059.tif 000009
【図８】
2014202059.tif 000010
【図９】
2014202059.tif 000011